(57)【要約】【課題】  メニューアイコンを提供する携帯用装置およびその制御方法に関し、より詳しくは、所定上位アイコンとそれに伴う下位アイコンとを階層的構造で表示するメニューアイコンを提供する携帯用装置およびその制御方法を提供する。【解決手段】  メニューアイコンを提供する携帯用装置は、ユーザから発生したボタン信号が入力されれば、入力されたボタン信号が機能ボタン信号であるか、方向ボタン信号であるかを判断するボタン信号判断部と、所定のメニューアイコン上に位置するフォーカスの位置をチェックするフォーカス位置チェック部と、前記フォーカスが移動する方向に背景画面のビューポイントを変動させる背景画面管理部と、前記フォーカスの位置に応じてメニューアイコンの大きさを変更させるアイコン管理部とを含む。【選択図】  図２ａ
2007334885.tif 000002
【特許請求の範囲】
【請求項１】
ユーザから発生したボタン信号が入力されれば、入力されたボタン信号が機能ボタン信号であるか、方向ボタン信号であるかを判断するボタン信号判断部と、
所定のメニューアイコン上に位置するフォーカスの位置をチェックするフォーカス位置チェック部と、
前記フォーカスが移動する方向に背景画面のビューポイントを変動させる背景画面管理部と、
前記フォーカスの位置に応じてメニューアイコンの大きさを変更させるアイコン管理部とを含む、メニューアイコンを提供する携帯用装置。
【請求項２】
前記ユーザのボタン操作によって発生したボタン信号が入力されるボタン信号入力部と、
前記メニューアイコンおよび前記メニューアイコンに位置するフォーカスを表示するディスプレイ部とを含む請求項１に記載のメニューアイコンを提供する携帯用装置。
【請求項３】
前記メニューアイコンは、上位アイコンおよび下位アイコンに区分され、前記上位アイコンが選択されれば、前記選択された上位アイコンと前記上位アイコンの下位アイコンとが階層的構造で表示される請求項１に記載のメニューアイコンを提供する携帯用装置。
【請求項４】
前記下位アイコンは、前記上位アイコンを中心として配置され、前記ユーザが操作した所定方向に回転する請求項３に記載のメニューアイコンを提供する携帯用装置。
【請求項５】
前記上位アイコンおよび前記下位アイコンは、モーションブラーにより画面上での位置移動が視覚的に提供される請求項３に記載のメニューアイコンを提供する携帯用装置。
【請求項６】
ユーザのボタン操作によって発生したボタン信号が入力されるステップと、
前記入力されたボタン信号が方向ボタン信号である場合、所定の上位アイコンに位置するフォーカスの位置をチェックして、前記入力された方向に前記フォーカスの位置を移動させるステップと、
前記フォーカスの位置が移動すれば前記フォーカスの移動方向に背景画面のビューポイントを変動させるステップと、
前記移動したフォーカスの位置に応じてメニューアイコンの大きさを変更するステップとを含む、メニューアイコンを提供する携帯用装置を制御する方法。
【請求項７】
前記入力されたボタン信号が機能ボタン信号である場合、前記チェックされたフォーカスの位置に配置された上位アイコンの下位アイコンを表示するステップをさらに含む請求項６に記載のメニューアイコンを提供する携帯用装置を制御する方法。
【請求項８】
前記表示された上位アイコンと前記下位アイコンとは、階層的構造で表示される請求項７に記載のメニューアイコンを提供する携帯用装置を制御する方法。
【請求項９】
前記下位アイコンは、前記上位アイコンを中心として配置され、前記ユーザが操作した所定方向に回転する請求項７に記載のメニューアイコンを提供する携帯用装置を制御する方法。
【請求項１０】
前記上位アイコンおよび前記下位アイコンは、モーションブラーにより画面上での位置移動が視覚的に提供される請求項７に記載のメニューアイコンを提供する携帯用装置を制御する方法。
【発明の詳細な説明】
【技術分野】
【０００１】
本発明は、メニューアイコンを提供する携帯用装置およびその制御方法に関し、より詳しくは、所定上位アイコンとそれに伴う下位アイコンとを階層的構造で表示するメニューアイコンを提供する携帯用装置およびその制御方法に関するものである。
【背景技術】
【０００２】
最近、通信技術が急激に発展することにより、個人が移動中に音声およびデータ通信を行えるようにする携帯用装置が開発されて広く普及している。
【０００３】
一般に、携帯用装置は、個人が携帯しながら、相手方と音声通話および画像通話をしたり、文字メッセージなどの情報をやり取りしたりすることができ、インターネットを接続したりするなど、日常生活で常に近くで用いる便利な通信道具であり、例えば移動電話機（Ｍｏｂｉｌｅ  ｔｅｌｅｐｈｏｎｅ）、携帯電話、ハンドフォン、セル方式の携帯無線電話、ＰＣＳ（Ｐｅｒｓｏｎａｌ  Ｃｏｍｍｕｎｉｃａｔｉｏｎｓ  Ｓｅｒｖｉｃｅｓ）フォン、個人携帯電話、無線通信端末機（Ｗｉｒｅｌｅｓｓ  Ｃｏｍｍｕｎｃａｔｉｏｎ  Ｔｅｒｍｉｎａｌ）、ＷＡＰ（Ｗｉｒｅｌｅｓｓ  Ａｐｐｌｉｃａｔｉｏｎ  Ｐｒｏｔｏｃｏｌ）フォン、ＰＤＡ（Ｐｅｒｓｏｎａｌ  Ｄｉｇｉｔａｌ  Ａｓｓｉｓｔａｎｃｅ）端末機、ＩＭＴ２０００（Ｉｎｔｅｒｎａｔｉｏｎａｌ  Ｍｏｂｉｌｅ  Ｔｅｌｅｃｏｍｍｕｎｉｃａｔｉｏｎｓ  ２０００）端末機などがある。
【０００４】
図１は、従来の携帯用装置のメニュー画面を示す図面である。
図に示すように、携帯用装置の機能を動作するための各種メニューを表示する方式では、２Ｄおよび３Ｄ形態のイメージオブジェクトをディスプレイパネル１１に提供することが一般的である。
【０００５】
その次に、ユーザが所定機能を行うためには、複数のメニューアイコン１２をいちいち選択した後、選択されたメニューアイコン１２に含まれた細部メニュー項目を検索しなければならない煩わしさがある。
【０００６】
すなわち、ユーザが利用しようとする機能が如何なるメニューアイコンに含まれているかを知らない場合、表示されたメニューアイコン１２をいちいち選択し、選択されたメニューアイコン内に利用しようとする機能項目が存在しない場合、他のメニューアイコンに移動するために、再び上位メニューアイコンに移動しなければならないため、ユーザは所望する機能を検索するために、多くのボタン操作（すなわち、ボタン選択）を行わなければならない煩わしさがある。
【０００７】
特許文献１には、メニュー項目を表示するメニューパネルが該当移動軌跡Ｌｆに沿って設定された表示位置Ｐを局部原点として、仮想カメラＣに法線が向かうように配列されると同時に、仮想カメラＣからの距離によって透明度を高く設定する。スクロール操作された場合、選択された特定のメニューパネルが表示位置Ｐ０に移動する時までメニューパネルを表示位置Ｐ間の移動軌跡Ｌｆ１〜Ｌｆ３に沿って移動させる。携帯型情報端末装置の表示画面は、仮想カメラＣによるスクリーン画像Ｖとして描画され、メニューパネルがロール状で立体的に表示される技術が開示されているが、これはカメラの高さ調節だけが可能なものであり、従来の携帯型情報端末装置のようにメニュー画面が各々１つの画面に不連続的に提供される問題点がある。
【特許文献１】大韓民国公開特許第２００３−８８３７４号公報
【発明の開示】
【発明が解決しようとする課題】
【０００８】
本発明は、画面上に上位アイコンと前記上位アイコンの下位アイコンとを階層的構造で表示することによって、ユーザが選択したアイコンの位置情報を容易に認知するようにすることにその目的がある。
【０００９】
本発明の他の目的は、ユーザが操作した方向ボタンの方向に背景画面のビューポイントを変化させることにある。
【００１０】
本発明の目的は、以上で言及した目的に制限されず、言及していないまた他の目的は下記記載によって当業者が明確に理解できるものである。
【課題を解決するための手段】
【００１１】
前記目的を達成するために、本発明の一態様に係わるメニューアイコンを提供する携帯用装置は、ユーザから発生したボタン信号が入力されれば、入力されたボタン信号が機能ボタン信号であるか、方向ボタン信号であるかを判断するボタン信号判断部と、所定のメニューアイコン上に位置するフォーカスの位置をチェックするフォーカス位置チェック部と、前記フォーカスが移動する方向に背景画面のビューポイントを変動させる背景画面管理部と、前記フォーカスの位置に応じてメニューアイコンの大きさを変更させるアイコン管理部とを含む。
【００１２】
また、本発明の他の態様に係わるメニューアイコンを提供する携帯用装置を制御する方法は、ユーザのボタン操作によって発生したボタン信号が入力されるステップと、前記入力されたボタン信号が方向ボタン信号である場合、所定の上位アイコンに位置するフォーカスの位置をチェックして、前記入力された方向に前記フォーカスの位置を移動させるステップと、前記フォーカスの位置が移動すれば前記フォーカスの移動方向に背景画面のビューポイントを変動させるステップと、前記移動したフォーカスの位置に応じてメニューアイコンの大きさを変更するステップとを含む。
【発明の効果】
【００１３】
本発明のメニューアイコンを提供する携帯用装置およびその制御方法によれば、次のような効果が１つあるいはそれ以上ある。
【００１４】
携帯用装置の画面上に上位アイコンおよびそれに伴う下位アイコンが階層的構造で表示され、ユーザは現在用いているアイコンの位置をより容易に認知できる利点がある。
【００１５】
また、ユーザが操作した方向ボタンと同一方向に背景画面のビューポイントを変化させることによって、ユーザの視角も共に移動するような効果を提供する利点がある。
【００１６】
また、３次元ＧＵＩ環境でユーザの視点（すなわち、背景画面ビューポイント）の変化に応じて多面体コンポーネントとメニューアイコンとが動的変化を起こしたり、情報が変化したりする方式を提供することによって、ユーザの視点の変化に応じて情報（例えば、メニューアイコン）が最適化されてユーザに見える利点がある。
【発明を実施するための最良の形態】
【００１７】
その他、実施形態の具体的な事項は、詳細な説明および図面に含まれている。
本発明の利点および特徴、そしてそれらを達成する方法は、添付する図面と共に詳細に後述する実施形態を参照すれば明確になる。しかし、本発明は以下にて開示する実施形態に限定されず、互いに異なる多様な形態によって実施され、単に本実施形態は本発明の開示が完全なものとなるようにし、本発明が属する技術分野で通常の知識を有する者に発明の範疇を完全に知らせるために提供されるものであって、本発明は請求項の範疇によってのみ定義されるものである。明細書の全体に亘り、同一参照符号は同一構成要素を示す。
【００１８】
以下、添付した図面を参照して、本発明の好ましい実施形態を詳細に説明する。
【００１９】
図２ａおよび２ｂは、本発明の一実施形態に係わるメニューアイコンを提供する携帯用装置を示す画面である。ここで、携帯用装置１００は、ユーザが携帯しながら、相手方と通話したり、文字メッセージの伝送、およびインターネットを接続したりすることのできる装置であり、例えば、携帯電話、ＰＤＡ、および無線通信端末機などをいう。
【００２０】
図２ａに示すように、携帯用装置１００は、複数のメニューアイコン２２１，２２２を表示するディスプレイパネル２００およびディスプレイパネル２００に表示されたメニューアイコン２２１，２２２を操作できる入力装置３００を備えている。ここで、メニューアイコン２２１，２２２は、２次元および３次元で作られた文字、ウェブページ、絵、動画などを含み、プルダウンメニュー、ボタンのようなＧＵＩ要素をすべて総括して意味する。また、メニューアイコン２２１，２２２は、上位アイコン２２１および前記上位アイコン２２１に含まれる下位アイコン２２２に区分される。
【００２１】
ディスプレイパネル２００は、背景画面２１０と前記背景画面２１０上にオーバーレイされた複数のアイコン２２１，２２２が表示されおり、ユーザが入力装置３００の方向ボタン３１０を操作して、フォーカス２３０を移動させて表示された所定アイコン２２１，２２２を選択すれば、ユーザによって操作された方向ボタン３１０の方向に、背景画面２１０のビューポイントが変動する。ここで、ユーザが操作する方向に背景画面２１０のビューポイントが移動して、前記ユーザが操作する方向にユーザの視角も共に移動するような効果を提供する。ここで、ビューポイントとは、ユーザが眺める視角に応じて変動する画面のポイントをいう。例えば、ビューポイントは、トップビュー、ボトムビュー、左側ビュー、右側ビューに区分することができる。ここで、トップビューはユーザが画面の上側を眺める視角をいうものであって、ボトムビューはユーザが画面の下側を眺める視角をいうものであり、左側ビューはユーザが画面の左側を眺める視角をいうものであって、右側ビューはユーザが画面の右側を眺める視角をいうものである。
【００２２】
入力装置３００は、ディスプレイパネル２００上に表示されたアイコン２２１，２２２を選択および動作させる所定の機能ボタン、および、所定アイコン２２１，２２２を選択するフォーカス２３０を移動させる方向ボタン３１０を備える。
【００２３】
例えば、方向ボタン３１０は、フォーカス２３０の位置を移動させる４方向ボタンを言い、機能ボタンはフォーカス２３０が位置するメニューアイコン２２１，２２２を選択して活性化させる実行ボタンおよび活性化したアイコンを以前状態に復帰させる復帰ボタンなどをいう。ここで、機能ボタンは、携帯用装置１００に別途のボタンとして備えられることもでき、一般ボタン（例えば、数字、ハングル、英文が割り当てられたボタン）に所定機能を追加して用いることもできる。
【００２４】
図２ｂに示すように、ユーザが入力装置３００の所定機能ボタンを用いてフォーカシングされた特定上位アイコン２２１を選択すれば、該当上位アイコン２２１の下位アイコン２２１が表示される。
【００２５】
例えば、上位アイコン２２１は、真ん中に位置する特定上位アイコン（例えば、インターネット（＠）アイコン）を過ぎて所定方向（すなわち、図示された矢印方向の反対方向）に位置が移動し、下位アイコン２２２は、真ん中に位置する特定上位アイコン（例えば、インターネット（＠）アイコン）と反対方向（図示された矢印方向）の位置に表示される。この時、下位アイコン２２２は、アイコン２２１を中心に弧状に配置される。一方、真ん中に位置する上位アイコン（例えば、インターネット（＠）アイコン）は、Ｚ方向（すなわち、３次元の深さ方向）に移動し、下位アイコン２２２は上位アイコン２２１を中心に円形に配置されて表示される。
【００２６】
図示された矢印方向は、上側方向（↑）、
【００２７】
（外１）
2007334885.tif 000003
【００２８】
（外２）
2007334885.tif 000004
左側方向（←）、右側方向（→）、下側方向（↓）、
【００２９】
（外３）
2007334885.tif 000005
および
【００３０】
（外４）
2007334885.tif 000006
などである。
【００３１】
また、所定上位アイコン２２１の選択により下位アイコン２２２が表示される時、各々の上位アイコン２２１および下位アイコン２２２は、モーションブラーによって位置が移動する動作が視覚的に提供される。ここで、モーションブラーは、イメージに動感があるように角度を調節して、速度感があるようにぼやける効果をいう。
【００３２】
例えば、表示された上位アイコン２２１のうち、フォーカス２３０が携帯電話機器アイコン２２１ａに位置している場合、ユーザが機能ボタン（例えば、実行機能ボタン）を用いて該当上位アイコン２２１ａを選択すれば、携帯電話機器アイコン２２１ａの位置が
【００３３】
（外５）
2007334885.tif 000007
に変更され、携帯電話機器アイコン２２１ａの下位アイコン２２２が
【００３４】
（外６）
2007334885.tif 000008
に表示される。すなわち、選択された該当上位アイコン２２１は、図示された矢印の反対方向に位置が移動し、該当上位アイコン２２１の下位アイコン２２２は矢印方向に位置する。この時、上位アイコン２２１ａおよび下位アイコン２２２の位置が変動する動作がモーションブラーにより視覚的に提供されている。以下、図６でフォーカスされた上位アイコン選択時に下位アイコンが表示される例に対する詳しい説明を後述する。
【００３５】
図３は、本発明の他の実施形態に係わるメニューアイコンを提供する携帯用装置の内部ブロック図を示す図面である。
図に示すように、携帯用装置１００は、ボタン信号入力部１１０、ボタン信号判断部１２０、フォーカス位置チェック部１３０、背景画面管理部１４０、アイコン管理部１５０、ディスプレイ部１６０、および制御部１７０を含んで構成される。
【００３６】
この時、本実施形態で用いられる「〜部」という用語は、ソフトウェアまたはＦＰＧＡまたはＡＳＩＣのようなハードウェア構成要素を意味し、「〜部」はある役割を行う。ところが「〜部」は、ソフトウェアまたはハードウェアに限定される意味ではない。「〜部」は、アドレッシングできる格納媒体にあるように構成することもでき、１つまたはそれ以上のプロセッサを再生させるように構成することもできる。したがって、一例として「〜部」はソフトウェア構成要素、オブジェクト指向ソフトウェア構成要素、クラス構成要素およびタスク構成要素のような構成要素と、プロセス、関数、属性、プロシージャ、サブルーチン、プログラムコードのセグメント、ドライバ、ファームウェア、マイクロコード、回路、データ、データベース、データ構造、テーブル、アレイ、および変数を含む。構成要素と「〜部」の中で提供されている機能は、さらに小さい数の構成要素および「〜部」に結合したり、追加的な構成要素と「〜部」にさらに分離したりすることができる。
【００３７】
ボタン信号入力部１１０は、ユーザのボタン操作によって発生したボタン信号が入力される。ここで、ユーザによって発生するボタン信号は、アイコン２２１，２２２を選択および動作させる所定機能ボタン信号、および特定メニューアイコン２２１，２２２上に位置するフォーカス２３０を移動させる方向ボタン信号などをいう。
【００３８】
ボタン信号判断部１２０は、ボタン信号入力部１１０を介して、ユーザから発生した信号が入力されれば、入力された信号が所定機能ボタンの信号であるか、方向ボタンの信号であるかを判断する。ここで、機能ボタンの信号であるか、方向ボタンの信号であるかを判断するのは、該当メニューアイコン２２１，２２２の選択および動作を要請するものであるか、またはフォーカス２３０の位置移動を要請するものであるかを判断するためである。
【００３９】
フォーカス位置チェック部１３０は、ディスプレイパネル２００上に表示されたメニューアイコン２２１，２２２のうち、ユーザから選択された所定メニューアイコンに位置するフォーカス２３０の位置をチェックし、ユーザの方向ボタン操作によって移動するフォーカス２３０の位置をチェックする。
【００４０】
背景画面管理部１４０は、ユーザによって操作された方向ボタン３１０の方向に背景画面２１０のビューポイントを変動させる。ここで、ユーザが操作する方向に背景画面２１０のビューポイントが移動して、前記ユーザが操作する方向にユーザの視角も共に移動するような効果を提供する。
【００４１】
例えば、ユーザが上側方向キーを選択する場合、ユーザが上側を眺める視角の背景画面２１０が表示される。すなわち、背景画面２１０のトップビューを変動させて、ユーザの視角が上側方向を眺める効果を提供する。以下、図５で方向ボタンの操作によって移動する背景画面に対する詳しい説明を後述する。
【００４２】
アイコン管理部１５０は、ユーザによって操作された方向ボタン３１０の方向にフォーカス２３０が移動する時、フォーカス２３０の位置に応じて上位アイコン２２１の大きさを変更する。ここで、フォーカス２３０が位置するアイコンの大きさが複数の他のアイコンより大きく拡大する。
【００４３】
また、ユーザが所定上位アイコン２２１を選択するに伴って、複数の下位アイコン２２２が表示され、そのうちの１つの下位アイコンにフォーカス３２０が位置する。ここで、複数の下位アイコン２２２は、上位アイコン２２１を中心として配置され、ユーザが選択した方向ボタン３１０の方向に下位アイコン２２２が回転する。この時、フォーカスされた位置は背景画面２１０上の特定位置であり、前記特定位置は下位アイコン２２２の移動時に変動しない。
【００４４】
ディスプレイ部１６０は、複数のアイコン２２１，２２２およびユーザのボタン操作によって活性化したイメージなどをディスプレイパネル２００に表示する。また、ディスプレイ部１６０は、ユーザのボタン操作によって移動したフォーカス２３０を表示する。
制御部１７０は、携帯用装置１００を構成する各機能性ブロック１１０〜１６０の動作を制御する。
【００４５】
図４ａ〜図４ｃは、本発明のまた他の実施形態に係わるメニューアイコンを提供する携帯用装置を制御する方法を示すフローチャートである。
図４ａに示すように、先ずユーザが携帯用装置１００を用いてメニュー画面を活性化させる。
【００４６】
その次に、ユーザがボタンを操作して所定信号を発生させ、ここで、ボタン信号入力部１１０には発生したボタン信号が入力される（Ｓ４１０）。その次に、ボタン信号判断部１２０は、入力されたボタン信号の種類を判断する（Ｓ４２０）。ここで、ボタン信号とは、所定機能を行う機能ボタンの信号およびフォーカス２３０の位置を移動させる方向ボタン信号をいう。
【００４７】
判断の結果、入力されたボタン信号が方向ボタン信号である場合（Ｓ４３０）、フォーカス位置チェック部１３０は画面上に位置するフォーカス２３０の現在位置をチェックし、制御部１７０はチェックされたフォーカス２３０の位置から入力された方向にフォーカス２３０の位置を移動させる（Ｓ４４０）。以下、図４ｂにおいて、ステップＳ４４０に対する詳しい説明を後述する。
【００４８】
その次に、ユーザによって所定のボタン信号が発生すれば（Ｓ４５０）、ボタン信号入力部１１０には発生した信号が入力され、ボタン信号判断部１２０は入力されたボタン信号の種類を判断する。
【００４９】
判断の結果、入力されたボタン信号が機能ボタン信号である場合（Ｓ４６０）、制御部１７０は選択された上位アイコン２２１を活性化させ、ディスプレイ部１６０を介して、該当上位アイコン２２１および前記該当上位アイコン２２１の下位アイコン２２２を画面上に表示する（Ｓ４７０）。以下、図４ｃでステップＳ４７０に対する詳しい説明を後述する。
【００５０】
一方、入力されたボタン信号の種類を判断した結果、方向ボタンの信号が入力された場合（Ｓ４６０）、制御部１７０は現在のフォーカス２３０の位置から入力された方向にフォーカス２３０の位置を移動させる（Ｓ４４０）。この後、ステップＳ４５０〜Ｓ４７０は同一に行われる。
【００５１】
一方、入力されたボタン信号が機能ボタン信号である場合（Ｓ４３０）、フォーカス位置チェック部１３０はフォーカス２３０の現在位置をチェックし（Ｓ４８０）、制御部１７０はチェックされたフォーカス２３０が位置する該当上位アイコン２２１を活性化させ、ディスプレイ部１６０を介して、該当上位アイコン２２１および前記該当上位アイコン２２１の下位アイコン２２２を表示する（Ｓ４７０）。
【００５２】
したがって、画面上に上位アイコン２２１および下位アイコン２２２を階層的構造で表示させることによって、ユーザは現在用いているアイコンの位置をより速く便利に認知することができる。
【００５３】
図４ｂは、メニューアイコンを提供する携帯用装置を制御する方法のうち、ステップＳ４４０の動作過程を説明するフローチャートである。
【００５４】
先ず、ユーザによって発生したボタン信号が方向ボタン信号である場合、フォーカス位置チェック部１３０はフォーカス２３０の現在位置をチェックし、制御部１７０はチェックされたフォーカス２３０の位置から前記入力された方向にフォーカス２３０の位置を移動させる（Ｓ４４１）。
【００５５】
その次に、フォーカス２３０が所定方向に移動すれば、移動した該当方向に背景画面２１０のビューポイントが変動し（Ｓ４４２）、フォーカス２３０が位置するメニューアイコン（例えば、上位アイコン）の大きさが変更される（Ｓ４４３）。ここで、背景画面２１０のビューポイントが変動して、ユーザが操作する方向にユーザの視角も共に移動するような効果が提供される。また、フォーカス２３０が位置するメニューアイコンの大きさが複数の他のアイコンより大きく拡大する。以下、図５において、方向ボタンの操作によって移動する背景画面およびメニューアイコンに対する詳しい説明を後述する。
【００５６】
図４ｃはメニューアイコンを提供する携帯用装置を制御する方法のうち、ステップＳ４７０の動作過程を説明するフローチャートである。
先ず、ユーザによって発生したボタン信号が機能ボタン信号である場合、制御部１７０は選択された上位アイコン２２１を活性化させる。ここで、ディスプレイ部１６０を介して該当上位アイコン２２１および前記該当上位アイコン２２１の下位アイコン２２２が表示される（Ｓ４７１）。
【００５７】
その次に、ユーザによって発生した所定ボタン信号が、ボタン信号入力部１１０を介して入力されれば（Ｓ４７２）、ボタン信号判断部１２０は入力されたボタン信号の種類を判断する。
【００５８】
判断の結果、方向ボタン信号が入力された場合（Ｓ４７３）、表示された下位アイコン２２２が入力された方向ボタン３１０の方向に所定間隔回転する（Ｓ４７４）。ここで、画面上に位置するフォーカス２３０の位置は変更されない。すなわち、下位アイコン２２２が所定間隔回転して、特定下位アイコンがフォーカス２３０に位置するものである。以下、図６において、方向ボタンの操作によって回転する下位アイコンに対する詳しい説明を後述する。
【００５９】
その次に、ボタン信号入力部１１０を介して、ユーザが発生させた所定ボタン信号が入力されれば（Ｓ４７５）、ボタン信号判断部１２０は入力されたボタン信号の種類を判断する。
【００６０】
判断の結果、機能ボタン信号が入力された場合（Ｓ４７６）、フォーカス２３０が位置する該当下位アイコン２２２が活性化され、ディスプレイ部１６０を介してディスプレイパネル２００に表示される（Ｓ４７７）。
【００６１】
一方、判断の結果、機能ボタン信号が入力された場合（Ｓ４７６）、ステップＳ４７４〜ステップＳ４７７の過程を再び行う。また、判断の結果、方向ボタン信号が入力された場合（Ｓ４７３）、ステップＳ４７７の過程を行う。
【００６２】
図５ａ〜図５ｄは、本発明のまた他の実施形態に係わるメニューアイコンを提供する携帯用装置において、方向ボタンの操作によって移動する背景画面およびメニューアイコンを示す図面である。
【００６３】
ここで、図５ａは携帯用装置１００のディスプレイパネル２００に表示された上位アイコン２２１のうち、真ん中に位置する上位アイコンにフォーカス２３０が位置する例を示す図面であり、図５ｂはフォーカス２３０が画面上の上側に位置する上位アイコン２２１に位置する例を示す図面であり、図５ｃはフォーカス２３０が画面上の左側に位置する上位アイコン２２１に位置する例を示す図面であり、図５ｄはフォーカス２３０が画面上の下側に位置する上位アイコンに位置する例を示す図面である。
【００６４】
図５ａに示すように、ディスプレイパネル２００に表示された複数の上位アイコン２２１のうち、真ん中に位置する上位アイコン（例えば、インターネット（＠）アイコン）にフォーカス２３０が位置する場合、背景画面２１０のビューポイントは変動しない。ここで、ユーザが背景画面２１０を正面から眺める効果を提供する。
【００６５】
また、複数の上位アイコン２２１のうち、フォーカス２３０が位置する特定上位アイコン（例えば、インターネット（＠）アイコン）の大きさが他の上位アイコンより大きく拡大して表示される。
【００６６】
図５ｂに示すように、ディスプレイパネル２００に表示された複数の上位アイコン２２１のうち、上側に位置する上位アイコン（例えば、文書アイコン）にフォーカス２３０が位置する場合、背景画面２１０のトップビューが変動してユーザが背景画面２１０の上側方向を眺めるような効果を提供する。
【００６７】
また、複数の上位アイコン２２１のうち、フォーカス２３０が位置する特定上位アイコン（例えば、文書アイコン）の大きさが他の上位アイコンより大きく拡大して表示される。
【００６８】
図５ｃに示すように、ディスプレイパネル２００に表示された複数の上位アイコン２２１のうち、左側に位置する上位アイコン（例えば、メッセージアイコン）にフォーカス２３０が位置する場合、背景画面２１０の左側ビューが変動して、ユーザが背景画面２１０の左側方向を眺めるような効果を提供する。
【００６９】
また、複数の上位アイコン２２１のうち、フォーカス２３０が位置する特定上位アイコン（例えば、メッセージアイコン）の大きさが他の上位アイコンより大きく拡大して表示される。
【００７０】
図５ｄに示すように、ディスプレイパネル２００に表示された複数の上位アイコン２２１のうち、下側に位置する上位アイコンにフォーカス２３０が位置する場合、背景画面２１０のボトムビューが変動して、ユーザが背景画面２１０の下側方向を眺めるような効果を提供する。また、複数の上位アイコン２２１のうち、フォーカス２３０が位置する特定上位アイコンの大きさが他の上位アイコンより大きく拡大して表示される。
【００７１】
図６ａ〜図６ｃは、本発明のまた他の実施形態に係わるメニューアイコンを提供する携帯用装置において、メニューアイコン選択時に行われる動作を示す図面である。
【００７２】
図６ａに示すように、ユーザがディスプレイパネル２００に表示した複数の上位アイコン２２１のうち、上段部の左側に位置する特定上位アイコン２２１ａにフォーカス２３０を位置させた後に選択すれば、該当上位アイコン２２１ａの位置は
【００７３】
（外７）
2007334885.tif 000009
に変動する。
【００７４】
その次に、上位アイコン２２１ａの複数の下位アイコン２２２は、上位アイコン２２１ａを中心に
【００７５】
（外８）
2007334885.tif 000010
に表示され、そのうちの１つの下位アイコンにフォーカス２３０が位置する。
【００７６】
その次に、ユーザは方向ボタン３１０を用いて所定下位アイコンを選択すれば、ユーザが選択した方向ボタン３１０の方向に下位アイコン２２２が回転する。ここで、フォーカス２３０の位置は背景画面２１０上の特定位置であり、フォーカス２３０の特定位置は下位アイコン２２２の移動時に変動しない。ここで、回転して位置が変動した特定下位アイコンがフォーカス２３０上に位置する。
【００７７】
図６ｂに示すように、ユーザがディスプレイパネル２００の画面に表示された複数の上位アイコン２２１のうち、真ん中に位置する特定上位アイコン２２１ｂにフォーカス２３０を位置させた後に選択すれば、該当上位アイコン２２１ｂの位置はＺ方向（すなわち、深さ方向）に変動する。
【００７８】
その次に、上位アイコン２２１ｂの複数の下位アイコン２２２は、上位アイコン２２１ｂを中心に円状に表示され、そのうちの１つの下位アイコンにフォーカス２３０が位置する。
【００７９】
その次に、ユーザは方向ボタン３１０を用いて所定下位アイコンを選択すれば、ユーザが選択した方向ボタン３１０の方向に下位アイコン２２２が回転する。ここで、フォーカス２３０の位置は背景画面２１０上の特定位置であり、フォーカス２３０の特定位置は下位アイコン２２２の移動時に変動しない。ここで、回転して位置が変動した特定下位アイコンがフォーカス２３０上に位置する。
【００８０】
図６ｃに示すように、ユーザがディスプレイパネル２００の画面に表示された複数の上位アイコン２２１のうち、右側に位置する特定上位アイコン２２１ｃにフォーカス２３０を位置させた後に選択すれば、該当上位アイコン２２１ｃの位置は左側方向（←）に変動する。
【００８１】
その次に、上位アイコン２２１ｃの複数の下位アイコン２２２は、上位アイコン２２１ｃを中心に右側方向（→）に表示され、そのうちの１つの下位アイコンにフォーカス２３０が位置する。
【００８２】
その次に、ユーザは方向ボタン３１０を用いて所定下位アイコンを選択すれば、ユーザが選択した方向ボタン３１０の方向に下位アイコン２２２が回転する。ここで、フォーカス２３０の位置は背景画面２１０上の特定位置であり、フォーカス２３０の特定位置は下位アイコン２２２の移動時に変動しない。ここで、回転して位置が変動した特定下位アイコンがフォーカス２３０上に位置する。
【００８３】
一方、所定の上位アイコン２２１を選択して、下位アイコン２２２が表示される時、下位アイコン２２２が表示される方向に背景画面２１０のビューポイントも変動する。
【００８４】
以上、添付した図面を参照して本発明の実施形態を説明したが、本発明が属する技術分野で通常の知識を有する者であれば、本発明がその技術的思想や必須の特徴を変更せず、他の具体的な形態によって実施することができるということを理解できる。したがって、以上で記述した実施形態はすべての面で例示的なものであり、限定的なものではないことを理解しなければならない。
【図面の簡単な説明】
【００８５】
【図１】従来携帯用装置のメニュー画面を示す図である。
【図２ａ】本発明の一実施形態に係わるメニューアイコンを提供する携帯用装置を示す図である。
【図２ｂ】本発明の一実施形態に係わるメニューアイコンを提供する携帯用装置を示す図である。
【図３】本発明の他の実施形態に係わるメニューアイコンを提供する携帯用装置の内部ブロック図を示す図である。
【図４ａ】本発明のまた他の実施形態に係わるメニューアイコンを提供する携帯用装置を制御する方法を示すフローチャートである。
【図４ｂ】本発明のまた他の実施形態に係わるメニューアイコンを提供する携帯用装置を制御する方法を示すフローチャートである。
【図４ｃ】本発明のまた他の実施形態に係わるメニューアイコンを提供する携帯用装置を制御する方法を示すフローチャートである。
【図５ａ】本発明のまた他の実施形態に係わるメニューアイコンを提供する携帯用装置において、方向ボタンの操作により移動する背景画面およびメニューアイコンを示す図である。
【図５ｂ】本発明のまた他の実施形態に係わるメニューアイコンを提供する携帯用装置において、方向ボタンの操作により移動する背景画面およびメニューアイコンを示す図である。
【図５ｃ】本発明のまた他の実施形態に係わるメニューアイコンを提供する携帯用装置において、方向ボタンの操作により移動する背景画面およびメニューアイコンを示す図である。
【図５ｄ】本発明のまた他の実施形態に係わるメニューアイコンを提供する携帯用装置において、方向ボタンの操作により移動する背景画面およびメニューアイコンを示す図である。
【図６ａ】本発明のまた他の実施形態に係わるメニューアイコンを提供する携帯用装置において、メニューアイコン選択時に行われる動作を示す図である。
【図６ｂ】本発明のまた他の実施形態に係わるメニューアイコンを提供する携帯用装置において、メニューアイコン選択時に行われる動作を示す図である。
【図６ｃ】本発明のまた他の実施形態に係わるメニューアイコンを提供する携帯用装置において、メニューアイコン選択時に行われる動作を示す図である。
【符号の説明】
【００８６】
１００      携帯用装置
１１０      ボタン信号入力部
１２０      ボタン信号判断部
１３０      フォーカス位置チェック部
１４０      背景画面管理部
１５０      アイコン管理部
１６０      ディスプレイ部
１７０      制御部
２００      ディスプレイパネル
３００      入力装置
【図１】
2007334885.tif 000011
【図２ａ】
2007334885.tif 000012
【図２ｂ】
2007334885.tif 000013
【図３】
2007334885.tif 000014
【図４ａ】
2007334885.tif 000015
【図４ｂ】
2007334885.tif 000016
【図４ｃ】
2007334885.tif 000017
【図５ａ】
2007334885.tif 000018
【図５ｂ】
2007334885.tif 000019
【図５ｃ】
2007334885.tif 000020
【図５ｄ】
2007334885.tif 000021
【図６ａ】
2007334885.tif 000022
【図６ｂ】
2007334885.tif 000023
【図６ｃ】
2007334885.tif 000024